(57)【要約】  【課題】  限られた時間の中で視聴が可能なコンテンツを、記録媒体に記録してあるコンテンツの中から容易に選択することができる再生装置を提供する。  【解決手段】  本発明の再生装置１は、使用者が希望する再生時間の指定を受け付け、ドライブ部２２で記録媒体に記録してあるコンテンツの中から、指定された再生時間以内で再生できるコンテンツ又は指定された再生時間に所定の誤差範囲内で一致する時間で再生できるコンテンツを検索し、検索したコンテンツを示す情報を出力する。出力した情報に基づいてコンテンツが選択され、再生装置１は、選択されたコンテンツをテレビジョン受像機３に出力することにより再生する。【選択図】        図１
2006323971.tif 000002
【特許請求の範囲】
【請求項１】
記録媒体に記録してあるコンテンツを再生する再生手段を備える再生装置において、
再生時間の指定を受け付ける時間指定手段と、
記録媒体に記録してある一又は複数のコンテンツの中から、前記時間指定手段が指定を受け付けた再生時間以内に前記再生手段が再生することが可能なコンテンツ、又は前記時間指定手段が指定を受け付けた再生時間に所定の誤差範囲内で一致する時間で前記再生手段が再生することが可能なコンテンツを検索する検索手段と、
該検索手段が検索したコンテンツを示す情報を出力する出力手段と
を備えることを特徴とする再生装置。
【請求項２】
前記出力手段が出力した前記情報が示すコンテンツの中から、再生すべきコンテンツの指定を受け付けるコンテンツ指定手段と、
該コンテンツ指定手段が指定を受け付けたコンテンツを前記再生手段に再生させる手段と
を更に備えることを特徴とする請求項１に記載の再生装置。
【請求項３】
前記再生手段は、前記記録媒体に記録してあるコンテンツを複数種類の再生速度で再生することが可能なように構成してあり、
前記検索手段は、前記再生手段が特定の再生速度で再生したときに前記再生時間以内に再生することが可能となるコンテンツ、又は前記再生手段が特定の再生速度で再生したときに前記再生時間に所定の誤差範囲内で一致する時間で再生することが可能となるコンテンツを検索する手段を有し、
前記出力手段は、特定の再生速度を示す情報を関連付けて、前記検索手段が検索したコンテンツを示す情報を出力する手段を有すること
を特徴とする請求項２に記載の再生装置。
【請求項４】
特定の再生速度を示す情報が関連付けられたコンテンツの指定を前記コンテンツ指定手段が受け付けた場合に、前記コンテンツ指定手段が指定を受け付けたコンテンツを前記特定の再生速度で前記再生手段に再生させる手段
を更に備えることを特徴とする請求項３に記載の再生装置。
【請求項５】
前記検索手段は、前記記録媒体に複数のコンテンツを記録している場合に、前記再生時間以内に前記再生手段が合わせて再生することが可能な複数のコンテンツの組み合わせ、又は前記再生時間に所定の誤差範囲内で一致する時間で前記再生手段が合わせて再生することが可能な複数のコンテンツの組み合わせを検索する手段を有すること
を特徴とする請求項２乃至４のいずれか一つに記載の再生装置。
【請求項６】
前記記録媒体に記録するコンテンツの内、どのようなコンテンツを優先して再生すべきかの条件を示す優先条件の指定を受け付ける優先指定手段を更に備え、
前記出力手段は、前記検索手段が検索したコンテンツの内、前記優先指定手段が指定を受け付けた前記優先条件に該当するコンテンツを示す情報を優先して出力する手段を有すること
を特徴とする請求項２乃至５のいずれか一つに記載の再生装置。
【発明の詳細な説明】
【技術分野】
【０００１】
本発明は、光ディスク又はハードディスク等の記録媒体に記録してあるコンテンツの中から特定の条件に該当するコンテンツを検索し、検索したコンテンツを再生する再生装置に関する。
【背景技術】
【０００２】
従来、映像及び音声からなるコンテンツをテレビジョン受像機等の表示装置に出力させることによって、磁気テープ又は光ディスク等の記録媒体に記録しているコンテンツを再生する再生装置が普及している。また、放送されたコンテンツを磁気テープ、光ディスク又はハードディスク等の記録媒体に記録し、記録したコンテンツを後日再生することができる再生装置も普及している。これらの再生装置は、コンテンツを再生する際に、２倍速等の早送りでコンテンツを再生する機能を有しているものが多い。特許文献１には、記録されたコンテンツを可変速で再生する技術が開示されている。また、放送されたコンテンツを記録する再生装置は、タイマ等を用いてコンテンツを自動で記録する機能を有しているものが多い。また再生装置の中には、記録媒体に複数のコンテンツを記録することが可能であり、コンテンツのタイトル又はサムネイル画像等を表示装置に表示させて、記録媒体に記録しているコンテンツの内の任意のコンテンツを再生可能にする機能を有しているものがある。
【特許文献１】特開平１０−２５７４３８号公報
【発明の開示】
【発明が解決しようとする課題】
【０００３】
再生装置を用いて使用者がコンテンツを視聴する場合、休日等で使用者に余暇があるときに、記録媒体に記録してあるコンテンツを視聴することが行われることがある。例えば、放送されたコンテンツを再生装置で一週間分記録しておき、記録したコンテンツを週末に再生装置で再生することによって視聴することが行われる。使用者の余暇には限りがあるので、記録媒体に記録してあるコンテンツの全てを視聴できるとは限らない。従って使用者は、再生装置を用いてコンテンツを視聴する際には、記録媒体に記録してあるコンテンツの中から余暇の間に視聴できるだけのコンテンツを選択する必要があるという問題がある。
【０００４】
本発明は、斯かる事情に鑑みてなされたものであって、その目的とするところは、限られた時間の中で視聴が可能なコンテンツを、記録媒体に記録してあるコンテンツの中から容易に選択することができる再生装置を提供することにある。
【課題を解決するための手段】
【０００５】
本発明に係る再生装置は、記録媒体に記録してあるコンテンツを再生する再生手段を備える再生装置において、再生時間の指定を受け付ける時間指定手段と、記録媒体に記録してある一又は複数のコンテンツの中から、前記時間指定手段が指定を受け付けた再生時間以内に前記再生手段が再生することが可能なコンテンツ、又は前記時間指定手段が指定を受け付けた再生時間に所定の誤差範囲内で一致する時間で前記再生手段が再生することが可能なコンテンツを検索する検索手段と、該検索手段が検索したコンテンツを示す情報を出力する出力手段とを備えることを特徴とする。
【０００６】
本発明においては、記録媒体に記録しているコンテンツを再生する再生装置は、再生時間の指定を受け付け、指定された再生時間以内で再生できるコンテンツ又は指定された再生時間に所定の誤差範囲内で一致する時間で再生できるコンテンツを検索し、検索したコンテンツを示す情報を出力する。
【０００７】
本発明に係る再生装置は、前記出力手段が出力した前記情報が示すコンテンツの中から、再生すべきコンテンツの指定を受け付けるコンテンツ指定手段と、該コンテンツ指定手段が指定を受け付けたコンテンツを前記再生手段に再生させる手段とを更に備えることを特徴とする。
【０００８】
また本発明においては、再生装置は、情報を出力したコンテンツの中から、再生すべきコンテンツの指定を受け付け、指定されたコンテンツを再生する。
【０００９】
本発明に係る再生装置は、前記再生手段は、前記記録媒体に記録してあるコンテンツを複数種類の再生速度で再生することが可能なように構成してあり、前記検索手段は、前記再生手段が特定の再生速度で再生したときに前記再生時間以内に再生することが可能となるコンテンツ、又は前記再生手段が特定の再生速度で再生したときに前記再生時間に所定の誤差範囲内で一致する時間で再生することが可能となるコンテンツを検索する手段を有し、前記出力手段は、特定の再生速度を示す情報を関連付けて、前記検索手段が検索したコンテンツを示す情報を出力する手段を有することを特徴とする。
【００１０】
また本発明においては、再生装置は、複数種類の再生速度でコンテンツを再生することが可能であり、指定された再生時間以内に２倍速等の特定の再生速度で再生できるコンテンツ、又は指定された再生時間に所定の誤差範囲内で一致する時間で特定の再生速度で再生できるコンテンツを検索する。
【００１１】
本発明に係る再生装置は、特定の再生速度を示す情報が関連付けられたコンテンツの指定を前記コンテンツ指定手段が受け付けた場合に、前記コンテンツ指定手段が指定を受け付けたコンテンツを前記特定の再生速度で前記再生手段に再生させる手段を更に備えることを特徴とする。
【００１２】
また本発明においては、再生装置は、２倍速等の特定の再生速度を示す情報が関連付けられたコンテンツを、２倍速等の特定の再生速度で再生する。
【００１３】
本発明に係る再生装置は、前記検索手段は、前記記録媒体に複数のコンテンツを記録している場合に、前記再生時間以内に前記再生手段が合わせて再生することが可能な複数のコンテンツの組み合わせ、又は前記再生時間に所定の誤差範囲内で一致する時間で前記再生手段が合わせて再生することが可能な複数のコンテンツの組み合わせを検索する手段を有することを特徴とする。
【００１４】
また本発明においては、再生装置は、再生時間の合計が指定された再生時間以内であるか、又は再生時間の合計が指定された再生時間に所定の誤差範囲内で一致するような複数のコンテンツの組み合わせを検索し、検索した複数のコンテンツの組み合わせを示す情報を出力する。
【００１５】
本発明に係る再生装置は、前記記録媒体に記録するコンテンツの内、どのようなコンテンツを優先して再生すべきかの条件を示す優先条件の指定を受け付ける優先指定手段を更に備え、前記出力手段は、前記検索手段が検索したコンテンツの内、前記優先指定手段が指定を受け付けた前記優先条件に該当するコンテンツを示す情報を優先して出力する手段を有することを特徴とする。
【００１６】
更に本発明においては、再生装置は、コンテンツのジャンル等の優先して再生すべきコンテンツの優先条件の指定を受け付け、優先条件に該当するコンテンツを示す情報を優先して出力する。
【発明の効果】
【００１７】
本発明にあっては、使用者が希望する再生時間で再生できるコンテンツを検索し、検索したコンテンツを示す情報を出力することによって、使用者は、希望する再生時間で再生することができるコンテンツを容易に選択することが可能となる。
【００１８】
また本発明にあっては、希望する再生時間に応じて検索されたコンテンツを選択して再生することにより、使用者は、コンテンツを視聴するために利用できる時間が限られている自分の都合に合わせてコンテンツを視聴することが可能となる。
【００１９】
また本発明にあっては、再生装置は、複数種類の再生速度で再生したときの再生時間に基づいてコンテンツを検索して再生することが可能であり、使用者は、再生速度を変更することによって希望する再生時間で再生可能なコンテンツを容易に選択することができる。
【００２０】
また本発明にあっては、通常の再生速度よりも速い再生速度で再生したときに使用者の希望の再生時間で再生可能なコンテンツを選択して再生することができるので、使用者は、限られた短い時間でコンテンツを視聴することが可能となる。
【００２１】
また本発明にあっては、再生装置は、使用者が希望する再生時間で再生できる複数のコンテンツの組み合わせを検索するので、使用者は、コンテンツを視聴するために利用できる限られた時間を活用して可及的に多くのコンテンツを視聴することが可能となる。
【００２２】
更に本発明にあっては、再生装置は、コンテンツのジャンル等の優先して再生すべきコンテンツの優先条件の指定を受け付け、優先条件に該当するコンテンツを示す情報を優先して出力するので、使用者は、趣味に応じた番組等の優先して視聴したいコンテンツを見逃さずに選択して視聴することが容易となる等、本発明は優れた効果を奏する。
【発明を実施するための最良の形態】
【００２３】
以下本発明をその実施の形態を示す図面に基づき具体的に説明する。
図１は、本発明の再生装置１の主要な内部構成を示すブロック図である。再生装置１は、再生装置１全体の動作を制御する制御部１１を備えている。制御部１１には、再生装置１が行う処理に必要な各種の情報を記憶するＲＡＭ１２、再生装置１を制御部１１が制御するための制御プログラムを記憶するＲＯＭ１３、及び再生装置１内での時刻を計時する計時部１４とが接続されている。制御部１１は、ＲＯＭ１３が記憶する制御プログラムに従って再生装置１に必要な処理を行う。また制御部１１には、小型の液晶ディスプレイ等の必要な情報を表示するための表示部１５と、使用者による操作を受け付ける操作部１６と、使用者が操作するリモートコントロール（リモコン）装置２０から発信された信号を受信するリモコン受信部１７とが接続されている。リモコン受信部１７は、リモコン装置２０からの信号を受信し、受信した信号の内容を制御部１１へ入力する構成となっている。操作部１６は、使用者が操作可能な各種のスイッチ及びボタンの集合でなっており、各スイッチ又はボタンが使用者により操作されることにより、各スイッチ又はボタンに割り当てられた信号を制御部１１へ入力する構成となっている。なお、表示部１５及び操作部１６はタッチパネルを用いて構成してあってもよい。
【００２４】
また制御部１１には、映像及び音声からなるコンテンツを表す信号の処理及び伝送を行う信号処理部２１が接続されている。信号処理部２１には、地上波放送、衛星放送、有線放送、アナログ放送、デジタル放送等の各種の放送信号を受信するためのチューナ部２３が接続されている。チューナ部２３は、放送信号を受信し、信号処理部２１は、チューナ部２３が受信した放送信号のデコード等の信号処理を行う。
【００２５】
また制御部１１及び信号処理部２１には、光ディスク、ハードディスク、磁気テープ又は半導体メモリ等の記録媒体に対してデータの記録及び読み出しを行うドライブ部２２が接続されている。ドライブ部２２は、外部への取り出しが不可能なハードディスクを内蔵し、内蔵するハードディスクに対してデータの記録及び読み出しを行う構成であってもよく、外部への取り出しが可能な光ディスク、磁気テープ又は半導体メモリカードを取り込んでデータの記録及び読み出しを行う構成であってもよい。また図１中には単一のドライブ部２２を示しているが、再生装置１は、ハードディスクドライブと光ディスクドライブとを両方備える等、複数のドライブ部を備える形態であってもよい。制御部１１は、信号処理部２１及びドライブ部２２の動作を制御し、信号処理部２１は、チューナ部２３が受信した放送信号を処理して記録用にエンコードし、ドライブ部２２は信号処理部２１がエンコードしたデータを記録する。ドライブ部２２が記録するデータは、放送された映像及び音声からなるコンテンツを表している。
【００２６】
また信号処理部２１には、外部へ映像又は音声等のデータを出力する出力部（出力手段）２４が接続されている。出力部２４には、通常、ブラウン管ディスプレイ又は液晶ディスプレイ等を用いたテレビジョン受像機３が接続されている。制御部１１の制御により、ドライブ部２２は記録媒体から必要なデータを読み出し、信号処理部２１は、ドライブ部２２が読み出したデータをデコードし、出力部２４は、信号処理部２１がデコードしたデータをテレビジョン受像機３へ出力する。テレビジョン受像機３は、出力されたデータに基づいて、映像及び音声からなるコンテンツを出力する。このようにして、制御部１１、信号処理部２１、ドライブ部２２及び出力部２４は、本発明に係る再生手段として機能する。
【００２７】
記録媒体に記録しているコンテンツには、コンテンツを構成する各部分に識別子を付してあるものがあり、このようなコンテンツは特にコマーシャルメッセージ（ＣＭ）の部分にＣＭであることを示す識別子を付してある。本発明の再生装置１は、この識別子を利用して、コンテンツに含まれるＣＭの部分をスキップしながらコンテンツを再生することができる機能を有している。またドライブ部２２は、コンテンツに対応するデータに加えて、コンテンツのタイトル、コンテンツの放送局、コンテンツを録画した日時、コンテンツを再生するために必要な再生時間、コンテンツ内容のジャンル等、コンテンツに係るメタデータを記録媒体に記録している。メタデータには、放送信号に含まれていてチューナ部２３が受信するものもあり、放送信号を受信した状況に応じて制御部１１が作成するものもある。更に本発明の再生装置１は、コンテンツを再生する際の再生速度を、本来の再生速度に比べて２倍速、３倍速、１．５倍速、又は０．７倍速等の速度に変更することにより、コンテンツを複数種類の再生速度で再生することができる機能を有している。
【００２８】
次に、以上の如き構成の本発明の再生装置１が行う処理を説明する。本発明においては、使用者は、例えば就寝前の１時間等、コンテンツを視聴するための希望する再生時間の長さを再生装置１へ入力し、再生装置１は、入力された再生時間で再生することができるコンテンツを検索する処理を行う。
【００２９】
図２は、本発明の再生装置１が行う処理の手順を示すフローチャートである。再生装置１の制御部１１は、ＲＯＭ１３が記憶する制御プログラムに基づいて以下の処理を実行する。再生装置１の制御部１１は、使用者が操作部１６又はリモコン装置２０を操作することによる、再生時間の指定、及びどのようなコンテンツを優先して再生すべきかの条件を示す優先条件の指定を操作部１６又はリモコン受信部１７で受け付けることを待ち受けている（Ｓ１）。このとき制御部１１は、再生時間及び優先条件を入力するための入力画面をテレビジョン受像機３に表示させ、使用者が操作部１６又はリモコン装置２０を操作して入力画面上で再生時間及び優先条件を入力することによって、再生時間及び優先条件の指定を受け付ける。このようにして、制御部１１、操作部１６及びリモコン受信部１７は、本発明に係る時間指定手段及び優先指定手段として機能する。優先条件は、優先して再生すべきコンテンツのジャンル、放送局、録画日時、又は再生履歴等の条件である。例えば、スポーツ、ニュース又はドラマ等のジャンルの内、使用者がスポーツを特に視聴したい場合は、優先条件としてスポーツのジャンルを指定する。また録画日時が新しい順にコンテンツを確認したい場合、又は未視聴のコンテンツを確認したい場合は、優先条件として新しい録画日時又は未視聴の再生履歴を指定する。
【００３０】
ステップＳ１で再生時間及び優先条件の指定の受付がない場合は（Ｓ１：ＮＯ）、制御部１１は、再生時間及び優先条件の指定の受付の待ち受けを続行する。ステップＳ１で再生時間及び優先条件の指定を操作部１６又はリモコン受信部１７で受け付けた場合は（Ｓ１：ＹＥＳ）、制御部１１は、ドライブ部２２で記録媒体に記録してあるコンテンツの中から、指定を受け付けた再生時間に合うコンテンツを検索する（Ｓ２）。このようにして制御部１１は、本発明に係る検索手段として機能する。
【００３１】
このとき制御部１１は、指定された再生時間以内に再生することが可能なコンテンツ、又は指定された再生時間に所定の誤差範囲内で一致する時間で再生することが可能なコンテンツを検索する。例えば指定された再生時間が１時間である場合は、１時間以内に再生することが可能なコンテンツを検索するか、又は所定の誤差範囲を１０分として５０分〜１時間１０分で再生することが可能なコンテンツをメタデータに基づいて検索する。なお再生装置１は、いずれの方法でコンテンツを検索する形態であってもよく、いずれの方法を用いるかの設定又は誤差範囲の値は、設定により可変である形態であってもよい。また制御部１１は、通常の再生速度では指定された再生時間に合わないコンテンツであっても、再生速度を通常の速度から変更したときの再生時間が指定された再生時間に合うようなコンテンツをも検索する。また制御部１１は、ＣＭをスキップできるコンテンツについては、ＣＭの部分をスキップしたときの再生時間をコンテンツの再生時間として検索する処理を行ってもよい。ＣＭの部分をスキップしたときの再生時間は、ステップＳ２で制御部１１が計算する処理を行ってもよく、記録媒体にメタデータとして予め記録していてもよい。
【００３２】
制御部１１は、次に、ステップＳ２で検索したコンテンツの内、指定を受け付けた優先条件に該当するコンテンツを示す情報を優先して、検索したコンテンツを示す情報を出力部２４から出力してテレビジョン受像機３に表示させる（Ｓ３）。このとき、制御部１１は、コンテンツを示す情報として、コンテンツのタイトル等のメタデータをテレビジョン受像機３に表示させる。また制御部１１は、再生速度を通常の速度から変更したときの再生時間が指定された再生時間に合うコンテンツについては、再生時間を合わせるための特定の再生速度を示す情報を関連付けて、コンテンツを示す情報を出力する。
【００３３】
図３は、検索したコンテンツを示す情報を表示したテレビジョン受像機３の表示画面例を示す模式図である。図中には、再生時間を１時間とし、優先条件をスポーツのジャンルとした例を示しており、図３（ａ）は１時間以内で再生可能なコンテンツを検索した例を示し、図３（ｂ）は５０分〜１時間１０分で再生することが可能なコンテンツを検索した例を示している。図３（ａ）では、１時間以内に再生可能なスポーツのジャンルのコンテンツとして、２倍速で再生したときに５５分で再生可能なマラソン中継の情報が上位に表示されている。また１時間以内に再生可能なスポーツのジャンルのコンテンツが他にないので、ジャンルがニュース又はドラマである他のコンテンツの情報が表示される。図３（ｂ）では、５０分〜１時間１０分で再生することが可能なスポーツのジャンルのコンテンツとして、３つのコンテンツの情報が優先して表示されている。なお、優先条件が放送局である場合は、再生装置１は、指定された放送局が放送したコンテンツの情報を優先して表示させる。また優先条件が新しい録画日時又は未視聴の再生履歴である場合は、再生装置１は、録画日時が新しい順又は未視聴のコンテンツを優先して、コンテンツの情報を表示させる。また、本発明の再生装置１は、コンテンツを示す情報として、図３に示したメタデータを文字で出力するのみではなく、コンテンツのサムネイルを出力する形態であってもよい。
【００３４】
制御部１１は、次に、出力したコンテンツを示す情報の中から一の情報を指定することによる、再生すべきコンテンツの指定を操作部１６又はリモコン受信部１７で受け付けることを待ち受ける（Ｓ４）。ここで使用者は、操作部１６又はリモコン装置２０を操作して、コンテンツの情報を表示した図３に示す如き表示画面上でカーソルを移動させて一のコンテンツを指定することにより、再生すべきコンテンツを指定する。コンテンツの指定の受付がない場合は（Ｓ４：ＮＯ）、制御部１１は、処理を終了する。操作部１６又はリモコン受信部１７でコンテンツの指定を受け付けた場合は（Ｓ４：ＹＥＳ）、制御部１１は、指定を受け付けたコンテンツに、通常の再生速度から変更した特定の再生速度が関連付けられているか否かを判定する（Ｓ５）。指定されたコンテンツに特定の再生速度が関連付けられていない場合は（Ｓ５：ＮＯ）、制御部１１は、指定されたコンテンツのデータをドライブ部２２で記録媒体から読み出して出力部２４から出力して、映像及び音声からなるコンテンツをテレビジョン受像機３で出力させることにより、指定されたコンテンツを再生する（Ｓ６）。指定されたコンテンツに特定の再生速度が関連付けられている場合は（Ｓ５：ＹＥＳ）、制御部１１は、２倍速又は１．５倍速等の関連付けられた再生速度で、指定されたコンテンツを再生する（Ｓ７）。ステップＳ６又はステップＳ７が終了した後は、制御部１１は、処理を終了する。
【００３５】
なお、以上に説明した処理では、再生装置１がステップＳ１で常に優先条件の指定を受け付ける処理を行っているが、本発明の再生装置１は、優先条件を示す情報をＲＡＭ１２に予め記憶しておくことによって逐一優先条件の指定を受け付けることを行わず、ステップＳ３では、ＲＡＭ１２に記憶する情報が示す優先条件に該当するコンテンツを優先してコンテンツを示す情報を出力する処理を行う形態であってもよい。この形態の再生装置１で優先条件を変更する場合は、操作部１６又はリモコン装置２０を使用者が操作することによって優先条件の変更を受け付ける。
【００３６】
また、本発明の再生装置１は、複数種類の優先条件を一度に指定することが可能な構成であってもよい。例えば、スポーツのジャンルと新しい録画日時を指定した場合は、再生装置１は、スポーツのジャンルのコンテンツの内、録画日時がより新しいコンテンツを優先してコンテンツを示す情報を出力する。また例えば、再生装置１は、第１の優先条件をスポーツのジャンル、第２の優先条件をドラマのジャンルと指定しておき、スポーツのジャンルのコンテンツを最優先してコンテンツを示す情報を出力し、次に他のジャンルよりも優先してドラマのジャンルのコンテンツを示す情報を出力する処理を行う形態であってもよい。
【００３７】
以上詳述した如く、本発明においては、本発明の再生装置１は、使用者が希望する再生時間の指定を受け付け、指定された再生時間以内で再生できるコンテンツ又は指定された再生時間に所定の誤差範囲内で一致する時間で再生できるコンテンツを検索し、検索したコンテンツを示す情報を出力する。これによって使用者は、希望する再生時間で再生することができるコンテンツを容易に選択することが可能となる。また検索されたコンテンツの中から特定のコンテンツを選択して再生装置１に再生させることにより、使用者は、コンテンツを視聴するために利用できる時間が限られている自分の都合に合わせてコンテンツを視聴することが可能となる。
【００３８】
また本発明の再生装置１は、複数種類の再生速度でコンテンツを再生することが可能であり、２倍速等の特定の再生速度で指定された再生時間以内に再生できるコンテンツ、又は指定された再生時間に所定の誤差範囲内で一致する時間で特定の再生速度で再生できるコンテンツを検索する。これによって使用者は、再生速度を変更することによって希望する再生時間で再生可能なコンテンツを容易に選択することができる。特に、通常の再生速度よりも速い再生速度で再生したときに使用者の希望の再生時間で再生可能なコンテンツを選択して再生することができるので、使用者は、限られた短い時間でコンテンツを視聴することが可能となる。
【００３９】
更に本発明の再生装置１は、コンテンツのジャンル等の優先して再生すべきコンテンツの優先条件の指定を受け付け、優先条件に該当するコンテンツを示す情報を優先して出力する。これによって使用者は、趣味に応じた番組等の優先して視聴したいコンテンツを見逃さずに選択して視聴することが容易となる。
【００４０】
なお、本実施の形態においては、再生装置１は指定された再生時間に合う個々のコンテンツを検索する処理を行う形態を示しているが、本発明の再生装置１は、複数のコンテンツの再生時間の合計が指定された再生時間に合うようなコンテンツの組み合わせを検索する処理を行う形態であってもよい。この形態の再生装置１は、前述の処理手順におけるステップＳ２で、複数のコンテンツの再生時間を合計した時間を計算し、再生時間の合計が指定された再生時間以内である複数のコンテンツの組み合わせ、又は再生時間の合計が指定された再生時間に所定の誤差範囲内で一致する複数のコンテンツの組み合わせを検索し、ステップＳ３で、検索した複数のコンテンツの組み合わせを示す情報を出力する。
【００４１】
図４は、検索した複数のコンテンツの組み合わせを示す情報を表示したテレビジョン受像機３の表示画面例を示す模式図である。図中には、再生時間を２時間とし、優先条件をスポーツのジャンルとした例を示している。１時間５０分で再生可能なサッカー中継のコンテンツの情報が表示されているのに加えて、１時間と５０分と１０分とで合計の再生時間が２時間となる３つのコンテンツの組み合わせを示す情報が表示されている。また更に、１．５倍速で再生するサッカー中継とその他のコンテンツで合計の再生時間が１時間４５分となる３つのコンテンツの組み合わせを示す情報が表示されている。これら複数のコンテンツの組み合わせは、使用者が操作部１６又はリモコン装置２０を操作することによって、再生すべきコンテンツとして指定することができる。この形態の再生装置１は、ステップＳ４で複数のコンテンツの組み合わせが指定された場合は、ステップＳ６又はステップＳ７で、指定された複数のコンテンツを続けて再生する処理を行う。
【００４２】
この形態においては、再生装置１は、使用者が希望する再生時間で再生できる複数のコンテンツの組み合わせを検索するので、使用者は、コンテンツを視聴するために利用できる限られた時間を活用して可及的に多くのコンテンツを視聴することが可能となる。
【００４３】
なお、本実施の形態においては、本発明の再生装置１は、チューナ部２３を備え、放送されたコンテンツをチューナ部２３で受信してドライブ部２２で記録媒体に記録し、記録媒体に記録したコンテンツを再生する形態を示したが、この構成に限るものではない。本発明の再生装置１は、コンテンツが記録されて市販されている光ディスク等の記録媒体、又は他の記録装置でコンテンツを記録した記録媒体をドライブ部２２で受け付け、受け付けた記録媒体に記録しているコンテンツを検索して再生することが可能な形態であってもよい。またこの再生装置１は、チューナ部２３を備えていない形態であってもよい。
【００４４】
また本実施の形態においては、映像及び音声からなるコンテンツをテレビジョン受像機３を用いて出力することによって再生装置１がコンテンツを再生する形態を示したが、本発明の再生装置１は、これに限るものではなく、その他の方法でコンテンツを再生する形態であってもよく、また映像のみ又は音声のみからなるコンテンツを再生する形態であってもよい。例えば、再生装置１は、ディスプレイ及びスピーカを内蔵し、内蔵してあるディスプレイにコンテンツを示す情報を表示し、更にディスプレイ及びスピーカを用いてコンテンツを出力する形態であってもよい。また例えば、再生装置１は、スピーカが出力部２４に接続可能に構成されてあり、出力部２４に接続されたスピーカを用いて音楽のコンテンツを出力する形態であってもよい。
【図面の簡単な説明】
【００４５】
【図１】本発明の再生装置の主要な内部構成を示すブロック図である。
【図２】本発明の再生装置が行う処理の手順を示すフローチャートである。
【図３】検索したコンテンツを示す情報を表示したテレビジョン受像機の表示画面例を示す模式図である。
【図４】検索した複数のコンテンツの組み合わせを示す情報を表示したテレビジョン受像機の表示画面例を示す模式図である。
【符号の説明】
【００４６】
１  再生装置
１１  制御部
１６  操作部
１７  リモコン受信部
２１  信号処理部
２２  ドライブ部
２３  チューナ部
２４  出力部（出力手段）
３  テレビジョン受像機
【図１】
2006323971.tif 000003
【図２】
2006323971.tif 000004
【図３】
2006323971.tif 000005
【図４】
2006323971.tif 000006